(57)【要約】【課題】操作性に優れた電子機器を提供すること。【解決手段】複数の面を有する筐体と、前記筐体のうち第一面に設けられた表示部と、複数の面を有する筐体と、前記筐体のうち第一面に設けられた表示部と、前記筐体のうち前記第一面とは異なる第二面の所定領域に対する接触の有無及び接触位置を検出し、前記表示部が設けられた領域に対応して前記所定領域が設定されている検出部を有する操作部とを備える。【選択図】図１
2012145867.tif 000002
【特許請求の範囲】
【請求項１】
複数の面を有する筐体と、
前記筐体のうち第一面に設けられた表示部と、
前記筐体のうち前記第一面とは異なる第二面の所定領域に対する接触の有無及び接触位置を検出し、前記表示部が設けられた領域に対応して前記所定領域が設定されている検出部を有する操作部と
を備える電子機器。
【請求項２】
前記第二面は、複数設けられ、
前記検出部は、複数の前記第二面のそれぞれに設けられている
請求項１に記載の電子機器。
【請求項３】
前記筐体は、板状に形成されており、
前記表示部は、前記筐体の板面に配置されており、
前記検出部は、前記筐体の側面に配置されている
請求項１又は請求項２に記載の電子機器。
【請求項４】
前記筐体は、矩形に形成されており、
前記検出部は、前記筐体の四辺のそれぞれに配置されている
請求項３に記載の電子機器。
【請求項５】
前記所定領域は、前記表示部が設けられた領域に対応する領域に設定されている
請求項１から請求項４のうちいずれか一項に記載の電子機器。
【請求項６】
前記検出部は、
前記所定領域に設けられた電極と、
前記電極における電気的特性の変化を局所的に検出可能な電極検出部と
を有する
請求項１から請求項５のうちいずれか一項に記載の電子機器。
【請求項７】
前記電極は、
前記所定領域の表面側に配置される表面側電極と、
前記表面側電極よりも前記筐体の内部側に当該表面側電極に対向して配置される内部側電極と
を有し、
前記電気的特性は、前記表面側電極と前記内部側電極との間の静電容量である
請求項６に記載の電子機器。
【請求項８】
前記電極は、前記第二面の他の部分と面一状態となるように配置されている
請求項６又は請求項７に記載の電子機器。
【請求項９】
前記検出部における前記接触位置に応じて異なる処理を行わせる制御部
を更に備える請求項１から請求項８のうちいずれか一項に記載の電子機器。
【請求項１０】
前記制御部は、前記処理を識別するための識別情報を前記表示部のうち前記所定領域に対しての前記接触位置に対応する領域に表示させる
請求項９に記載の電子機器。
【請求項１１】
前記筐体の姿勢を検出する姿勢検出部を更に備え、
前記制御部は、前記姿勢検出部による検出結果に応じて、それぞれの前記識別情報の表示を切り替える
請求項９又は請求項１０に記載の電子機器。
【請求項１２】
前記表示部は、前記第一面のうち所定の表示領域に設けられており、
前記表示領域に対する接触の有無及び接触位置を検出する表示部検出部を更に備える
請求項１から請求項１１のうちいずれか一項に記載の電子機器。
【発明の詳細な説明】
【技術分野】
【０００１】
本発明は、電子機器に関する。
【背景技術】
【０００２】
携帯電話や携帯情報端末などの電子機器として、例えば特許文献１が知られている。特許文献１に示すような電子機器においては、操作部分にボタンを設けた構成が知られている。このような電子機器において、例えば板状に設けられた筐体の一の面に表示部が設けられており、当該一の面のうち表示部の周囲の領域や筐体の側部などに操作ボタンが設けられた構成が知られている。
【先行技術文献】
【特許文献】
【０００３】
【特許文献１】特開２０１０−８６０８９号公報
【発明の概要】
【発明が解決しようとする課題】
【０００４】
しかしながら、筐体に操作ボタンを配置する構成においては、筐体における操作ボタンの位置が固定されるため、例えば筐体を回転させて用いる場合などにおいては、操作しにくいという問題がある。
【０００５】
以上のような事情に鑑み、本発明は、操作性に優れた電子機器を提供することを目的とする。
【課題を解決するための手段】
【０００６】
本発明の態様に従えば、複数の面を有する筐体と、前記筐体のうち第一面に設けられた表示部と、複数の面を有する筐体と、前記筐体のうち第一面に設けられた表示部と、前記筐体のうち前記第一面とは異なる第二面の所定領域に対する接触の有無及び接触位置を検出し、前記表示部が設けられた領域に対応して前記所定領域が設定されている検出部を有する操作部とを備える電子機器が提供される。
【発明の効果】
【０００７】
本発明の態様によれば、操作性に優れた電子機器を提供することができる。
【図面の簡単な説明】
【０００８】
【図１】本発明の実施の形態に係る携帯情報端末の構成を示す斜視図。
【図２】本実施形態に係る携帯情報端末の一部の構成を示す側面図。
【図３】本実施形態に係る携帯情報端末の一部の構成を示す断面図。
【図４】本実施形態に係る携帯情報端末の一部の構成を示す断面図。
【図５】本実施形態に係る携帯情報端末の制御装置の構成を示すブロック図。
【図６】本実施形態に係る携帯情報端末の動作の一形態を示す図。
【図７】本実施形態に係る携帯情報端末の動作の一形態を示す図。
【発明を実施するための形態】
【０００９】
以下、図面を参照して、本発明の実施の形態を説明する。  
図１は、本実施形態に係る携帯情報端末ＥＱＰの構成を示す斜視図である。  
図１に示すように、携帯情報端末ＥＱＰは、筐体ＦＬ、表示部ＤＰ、操作部ＳＤ及び制御装置ＣＯＮＴを有している。
【００１０】
筐体ＦＬは、例えば矩形の板状に形成されており、表示部ＤＰ及び操作部ＳＤを保持する。  
表示部ＤＰは、筐体ＦＬのうち板面に設けられている。筐体ＦＬのうち当該表示部ＤＰが設けられる面を、以下表示面Ｆｅと表記する。表示部ＤＰは、例えば液晶装置や有機ＥＬ装置などを有する表示パネルＰＮを有している。表示パネルＰＮが設けられる表示領域には、例えばタッチパネルＴＰが設けられている。
【００１１】
操作部ＳＤは、筐体ＦＬのうち表示面Ｆｅを囲む４辺に相当する４つの側面Ｆａ〜Ｆｄに設けられている。操作部ＳＤは、側面Ｆａに設けられた側部検出部ＳＤ１、側面Ｆｂに設けられた側部検出部ＳＤ２、側面Ｆｃに設けられた側部検出部ＳＤ３及び側面Ｆｄに設けられた側部検出部ＳＤ４を有している。操作部ＳＤは、側部検出部ＳＤ１〜ＳＤ４において外部からの（例えばユーザの）接触の有無及び接触位置を検出する。
【００１２】
図２は、操作部ＳＤの一部の構成を示す図である。図２には、側面Ｆｂに設けられた側部検出部ＳＤ２の構成を代表させて示しているが、他の側部検出部ＳＤ１、ＳＤ３及びＳＤ４についても同様の説明が可能である。
【００１３】
図２に示すように、側面Ｆｂのほぼ中央部には、検出領域２０が設けられている。検出領域２０は、側面Ｆｂの長手方向に一致する方向に長手に形成された矩形の領域である。側部検出部ＳＤ２は、検出領域２０に設けられた電極１０を有している。電極１０は、検出領域２０の長手方向に並べられた複数の表面側電極１０ａを有している。
【００１４】
図３は、側部検出部ＳＤ２の構成を示す断面図である。図３には、図２と同様に、側面Ｆｂに設けられた側部検出部ＳＤ２の構成を代表させて示しているが、他の側部検出部ＳＤ１、ＳＤ３及びＳＤ４についても同様の説明が可能である。
【００１５】
図３に示すように、各表面側電極１０ａは、側面Ｆｂの他の部分と面一状態となるように配置されている。また、各表面側電極１０ａは、それぞれ内部側電極１０ｂと対向するように配置されている。表面側電極１０ａと内部側電極１０ｂとの間には、それぞれ誘電体１０ｃが配置されている。このように、電極１０は、表面側電極１０ａと内部側電極１０ｂとの間で形成される容量電極を有している。各容量電極は、それぞれ制御装置ＣＯＮＴに接続されている。
【００１６】
例えばユーザの指などが検出領域２０の一部分に接触すると、電極１０のうち接触された部分に配置される表面側電極１０ａと内部側電極１０ｂとの間の静電容量が変化するようになっている。また、検出領域２０の一部分に接触していたユーザの指などの接触状態が解除されると、表面側電極１０ａと内部側電極１０ｂとの間の静電容量が元の状態に戻るようになっている。
【００１７】
このように、側部検出部ＳＤ２では、電極１０における接触部分の静電容量が局所的に変化するように構成されている。このような静電容量の変化は、制御装置ＣＯＮＴに送信されるようになっている。制御装置ＣＯＮＴでは、当該静電容量の変化を検出することにより、外部からの接触の有無及び接触位置を算出可能となっている。なお、例えばユーザが検出領域２０に沿って接触部分を移動させる場合、静電容量の変化する位置が接触部分の移動に伴って移動する。制御装置ＣＯＮＴでは、この静電容量の変化する位置の移動（移動方向、移動距離及び移動速度）についても検出可能となっている。
【００１８】
図４は、携帯情報端末ＥＱＰを表示面Ｆｅ側から見たときの図であり、側部検出部ＳＤ１〜ＳＤ４を断面で示している。  
図４に示すように、各側部検出部ＳＤ１〜ＳＤ４は、矩形に形成された表示部ＤＰの各辺の位置に配置されると共に、表示部ＤＰの寸法に対応する寸法に形成されている。
【００１９】
具体的には、側部検出部ＳＤ１及びＳＤ２の検出領域２０は、表示部ＤＰの短辺に対応する位置に配置されている。また、側部検出部ＳＤ１及びＳＤ２の検出領域２０の長手方向の寸法は、表示部ＤＰの短辺の寸法に等しくなっている。一方、側部検出部ＳＤ３及びＳＤ４の検出領域２０は、表示部ＤＰの長辺に対応する位置に配置されている。また、側部検出部ＳＤ３及びＳＤ４の検出領域２０の長手方向の寸法は、表示部ＤＰの長辺の寸法に等しくなっている。
【００２０】
図５は、制御装置ＣＯＮＴの構成を示すブロック図である。  
図５に示すように、制御装置ＣＯＮＴは、制御部５１、入力部５２、出力部５３、記憶部５４、通信部５５及び電源部５６を有している。
【００２１】
制御部５１は、携帯情報端末ＥＱＰの統括的な演算処理を行う。入力部５２は、携帯情報端末ＥＱＰに対して入力を行う部分である。入力部５２としては、上記の側部検出部ＳＤ１〜ＳＤ４や表示部検出部５２ｂ、また、入力部５２として、例えば姿勢検出部５２ｃなどのセンサが設けられている。この他、入力部５２として、例えばマイクなどの不図示の音声入力部が設けられていても構わない。
【００２２】
表示部検出部５２ｂは、タッチパネルＴＰにおける接触の有無及び接触位置を検出する。姿勢検出部５２ｃは、携帯情報端末ＥＱＰの姿勢を検出するセンサである。姿勢検出部５２ｃとしては、例えば３軸加速度センサやジャイロセンサ、地磁気センサなどが設けられている。
【００２３】
出力部５３は、画像や音声などを出力する。出力部５３としては、例えば画像を表示する上記の表示部ＤＰや、スピーカー（不図示）のような音声を出力する音声出力部５３ｂなどが挙げられる。記憶部５４は、制御部５１による演算結果や入力部５２に入力させる入力情報、出力部５３によって出力させる出力情報（例、画像データ、音声データ）、通信部５５を介して通信する情報などを記憶する。
【００２４】
通信部５５は、外部との間で有線方式及び無線方式のうち少なくとも一方の方式によって情報の通信が可能となるように構成されている。電源部５６は、携帯情報端末ＥＱＰに電力を供給するための電源が配置されている。電源部５６としては、例えば電池やバッテリー等が挙げられる。
【００２５】
次に、上記のように構成された携帯情報端末ＥＱＰの動作を説明する。  
携帯情報端末ＥＱＰでは、記憶部５４に記憶された画像データや通信部５５を介して通信された画像データが表示部ＤＰに出力され、画像として表示される。また、同様に記憶部５４に記憶された音声データが音声出力部５３ｂから出力される。更に、外部との間でこれら画像データ及び音声データを含むデータの通信が行われる。
【００２６】
制御装置ＣＯＮＴでは、ユーザの操作に基づいて、これらの出力、通信を行わせる。携帯情報端末ＥＱＰの筐体ＦＬの姿勢が、例えば図６に示すように、側面Ｆａから側面Ｆｂに向けた方向が重力方向である場合、制御装置ＣＯＮＴは、表示部ＤＰの表示領域３１〜４０において、例えば処理１〜処理１０を行わせるための識別表示を表示させる。
【００２７】
例えば、制御装置ＣＯＮＴは、表示部ＤＰの４辺のうち図中上側の辺に沿った領域内に４つの単位領域を設定し、これらの単位領域をそれぞれ表示領域３１〜３４として設定する。また、制御装置ＣＯＮＴは、表示領域３１〜３４に対応するように、側部検出部ＳＤ１の検出領域２０に４つの単位領域を設定し、これらの単位領域をそれぞれ接触領域（Ａ１）〜（Ｄ１）とする。
【００２８】
また、制御装置ＣＯＮＴは、表示部ＤＰの４辺のうち図中下側の辺に沿った領域内に２つの単位領域を設定し、これらの単位領域をそれぞれ表示領域３９及び４０として設定する。また、制御装置ＣＯＮＴは、当該２つの表示領域３９及び４０に対応するように、側部検出部ＳＤ１の検出領域２０に４つの単位領域を設定し、これらの単位領域をそれぞれ接触領域（Ｍ１）及び（Ｎ１）とする。
【００２９】
同様に、制御装置ＣＯＮＴは、表示部ＤＰの４辺のうち図中左側の辺及び図中右側の辺に沿った領域内にも、それぞれ表示領域を設定する。なお、表示領域３１は表示部ＤＰの左上角部に設けられており、表示領域３９は表示部ＤＰの左下角部に設けられており、表示領域３４は図中右上角部に設けられており、表示領域４０は図中右下角部に設けられているため、これら表示領域３１、３４、３９及び４０については、共通の表示領域として設定する。
【００３０】
したがって、図中左側の辺には表示領域３１、３５、３７及び３９が設定されると共に、図中右側の辺には表示領域３４、３６、３８及び４０が設定される。また、制御装置ＣＯＮＴは、側部検出部ＳＤ３の検出領域２０については、表示領域３１、３５、３７及び３９に対応するように４つの単位領域を設定し、これらの単位領域をそれぞれ接触領域（Ｅ１）、（Ｇ１）、（Ｉ１）及び（Ｋ１）とする。また、制御装置ＣＯＮＴは、側部検出部ＳＤ４の検出領域２０については、表示領域３４、３６、３８及び４０に対応するように４つの単位領域を設定し、これらの単位領域をそれぞれ接触領域（Ｆ１）、（Ｈ１）、（Ｊ１）及び（Ｌ１）とする。
【００３１】
この状態で制御装置ＣＯＮＴは、ユーザが表示領域３１〜４０のうちいずれかの領域に接触するのを待機させた状態とする。加えて、制御装置ＣＯＮＴは、ユーザが側部検出部ＳＤ１〜ＳＤ４に接触するのを待機させた状態とする。
【００３２】
ユーザがタッチパネルＴＰのうち表示領域３１〜４０のいずれかに重なる領域に接触した場合、制御装置ＣＯＮＴは表示部検出部５２ｂによってタッチパネルＴＰ上の接触位置を検出し、当該接触位置に表示された識別表示に対応する処理を実行する。例えば、ユーザがタッチパネルＴＰのうち表示領域３１に重なる部分に接触した場合、制御装置ＣＯＮＴは当該表示領域３１に表示された処理（処理１）を行わせる。
【００３３】
また、ユーザが側部検出部ＳＤ１〜ＳＤ４のいずれかに接触した場合、制御装置ＣＯＮＴは、側部検出部ＳＤ１〜ＳＤ４のどこに接触したのか、接触位置を検出する。例えば接触位置が側部検出部ＳＤ１の接触領域（Ａ１）内の位置であった場合、表示部ＤＰのうち当該接触領域（Ａ１）に対応する部分に表示された処理１を行わせる。また、接触位置が側部検出部ＳＤ１の接触領域（Ｂ１）内の位置あった場合、表示部ＤＰのうち当該接触領域（Ｂ１）に対応する部分に表示された処理２を行わせる。同様に、側部検出部ＳＤ１の接触領域（Ｃ１）内に接触位置が検出された場合には、表示部ＤＰのうち接触領域（Ｃ１）に対応する部分に表示された処理３を行わせる。また、接触領域（Ｄ１）に接触が検出された場合には、表示部ＤＰのうち接触領域（Ｄ１）に対応する部分に表示された処理４を行わせる。
【００３４】
更に、側部検出部ＳＤ２に接触があった場合、接触位置が接触領域（Ｍ１）内の位置であれば処理９が行われ、接触位置が接触領域（Ｎ１）内の位置であれば処理１０が行われる。同様に、側部検出部ＳＤ３の場合、接触位置が接触領域（Ｅ１）内の位置であった場合には処理１が行われ、接触位置が接触領域（Ｇ１）内の位置であった場合には処理５が行われ、接触位置が接触領域（Ｉ１）の位置であった場合には処理７が行われ、接触位置が接触領域（Ｋ１）内の位置であった場合には処理９が行われる。
【００３５】
また、側部検出部ＳＤ４についても同様に、接触位置が接触領域（Ｆ１）内の位置であった場合には処理４が行われ、接触位置が接触領域（Ｈ１）内の位置であった場合には処理６が行われ、接触位置が接触領域（Ｊ１）内の位置であった場合には処理８が行われ、接触位置が接触領域（Ｌ１）内の位置であった場合には処理１０が行われる。
【００３６】
このように、制御装置ＣＯＮＴは、タッチパネルＴＰによる入力、側部検出部ＳＤ１〜ＳＤ４による入力、の両方に対応するように処理を行わせる。この場合、制御装置ＣＯＮＴは、処理１〜処理１０の識別表示を表示部ＤＰの４辺に沿った位置に表示させるようにする。制御装置ＣＯＮＴは、当該表示部ＤＰの４辺に対応する側部検出部ＳＤ１〜ＳＤ４での接触を検出した場合、各処理１〜処理１０を行わせる。このような動作により、側部検出部ＳＤ１〜ＳＤ４による入力を直感的に行わせることができる。
【００３７】
また、携帯情報端末ＥＱＰの筐体ＦＬの姿勢が、例えば図７に示すように、側面Ｆｄから側面Ｆｃに向けた方向が重力方向となるように切り替わった場合、制御装置ＣＯＮＴは、表示部ＤＰの表示領域４１〜５０に識別表示を表示させるように表示を切り替える。この状態で制御装置ＣＯＮＴは、ユーザが表示領域４１〜５０のうちいずれかの領域に接触するのを待機させた状態とすると共に、ユーザが側部検出部ＳＤ１〜ＳＤ４に接触するのを待機させた状態とする。
【００３８】
この場合、図６に示す状態と同様に、ユーザがタッチパネルＴＰのうち表示領域４１〜５０のいずれかに重なる領域に接触した場合、制御装置ＣＯＮＴは表示部検出部５２ｂによってタッチパネルＴＰ上の接触位置を検出し、当該接触位置に表示された識別表示に対応する処理を実行する。例えば、ユーザがタッチパネルＴＰのうち表示領域４１に重なる部分に接触した場合、制御装置ＣＯＮＴは当該表示領域４１に表示された処理（処理１）を行わせる。
【００３９】
また、ユーザが側部検出部ＳＤ１〜ＳＤ４のいずれかに接触した場合、制御装置ＣＯＮＴは、側部検出部ＳＤ１〜ＳＤ４のどこに接触したのか、接触位置を検出する。例えば接触位置が側部検出部ＳＤ４の接触領域（Ａ２）内の位置であった場合、表示部ＤＰのうち当該接触領域（Ａ２）に対応する部分に表示された処理１を行わせる。また、接触位置が側部検出部ＳＤ４の接触領域（Ｂ２）内の位置あった場合、表示部ＤＰのうち当該接触領域（Ｂ２）に対応する部分に表示された処理２を行わせる。同様に、側部検出部ＳＤ４の接触領域（Ｃ２）内に接触位置が検出された場合には、表示部ＤＰのうち接触領域（Ｃ２）に対応する部分に表示された処理３を行わせる。また、接触領域（Ｄ２）に接触が検出された場合には、表示部ＤＰのうち接触領域（Ｄ２）に対応する部分に表示された処理４を行わせる。
【００４０】
更に、側部検出部ＳＤ３に接触があった場合、接触位置が接触領域（Ｍ２）内の位置であれば処理９が行われ、接触位置が接触領域（Ｎ２）内の位置であれば処理１０が行われる。同様に、側部検出部ＳＤ１の場合、接触位置が接触領域（Ｅ２）内の位置であった場合には処理１が行われ、接触位置が接触領域（Ｇ２）内の位置であった場合には処理５が行われ、接触位置が接触領域（Ｉ２）の位置であった場合には処理７が行われ、接触位置が接触領域（Ｋ２）内の位置であった場合には処理９が行われる。
【００４１】
また、側部検出部ＳＤ２についても同様に、接触位置が接触領域（Ｆ２）内の位置であった場合には処理４が行われ、接触位置が接触領域（Ｈ２）内の位置であった場合には処理６が行われ、接触位置が接触領域（Ｊ２）内の位置であった場合には処理８が行われ、接触位置が接触領域（Ｌ２）内の位置であった場合には処理１０が行われる。
【００４２】
このように、例えば図６に示す筐体ＦＬの姿勢と図７に示す筐体ＦＬの姿勢とのように、筐体ＦＬの姿勢が異なる場合には、同一の処理を行わせるための接触位置を表示と共に適宜切り替えることができるので、側部検出部ＳＤ１〜ＳＤ４による入力を直感的に行わせることができる。
【００４３】
以上のように、本実施形態によれば、筐体ＦＬのうち第一面Ｆｅに設けられた表示部ＤＰと、筐体ＦＬのうち第一面Ｆｅとは異なる側面Ｆａ〜Ｆｄの検出領域２０に対する接触の有無及び接触位置を検出する側部検出部ＳＤ１〜ＳＤ４を有する操作部ＳＤとを備えることとしたので、携帯情報端末ＥＱＰを回転させて用いる場合においても、それぞれの場合において操作を同様に直感的に行うことができる。これにより、操作性に優れた携帯情報端末ＥＱＰを得ることができる。
【００４４】
本発明の技術範囲は上記実施形態に限定されるものではなく、本発明の趣旨を逸脱しない範囲で適宜変更を加えることができる。  
上記実施形態においては、側部検出部ＳＤ１〜ＳＤ４の構成として、接触によって静電容量が変化するのを検出する構成を例に挙げて説明したが、これに限られることは無く、例えば、接触によって電圧が変化するのを検出する構成（例えば、抵抗膜方式のタッチセンサ等）としても構わない。また、側部検出部ＳＤ１〜ＳＤ４の構成として、電極を設ける構成の他、例えば表面弾性波方式や赤外線方式など、電極を設けない構成であっても構わない。
【００４５】
また、上記実施形態においては、側部検出部ＳＤ１〜ＳＤ４が筐体ＦＬの側面Ｆａ〜Ｆｄのそれぞれに配置された構成を例に挙げて説明したが、これに限られることは無い。例えば、側部検出部が側面Ｆａ〜Ｆｄのうち１面以上３面以下の面に設けられている構成であっても構わない。
【００４６】
また、上記実施形態においては、表示部ＤＰの表面にタッチパネルＴＰが設けられた構成を例に挙げて説明したが、これに限られることは無く、タッチパネルＴＰが設けられない構成であっても構わない。この場合、操作部ＳＤに設けられる側部検出部ＳＤ１〜ＳＤ４を用いて操作する構成となる。この構成により、タッチパネルＴＰを設けなくても高い操作性を得ることができるため、携帯情報端末の低コスト化を図ることができる。
【００４７】
また、上記実施形態においては、側部検出部ＳＤ１〜ＳＤ４のそれぞれを複数の接触領域に区切るように制御する態様を例に挙げて説明したが、これに限られることは無い。例えば、側部検出部ＳＤ１〜ＳＤ４の複数の接触領域に区切らずに、１つの側部検出部に接触すると１つの処理を行わせるように設定しても、勿論構わない。
【００４８】
また、上記実施形態においては、姿勢検出部５２ｃにより筐体ＦＬの姿勢を検出し、検出結果に基づいて表示部ＤＰにおける表示を切り替えるように制御する態様を例に挙げて説明したが、これに限られることは無い。例えば、姿勢検出部５２ｃの検出結果によらず一定の表示を行わせるように制御しても構わない。また、姿勢検出部５２ｃの検出結果に基づいて表示を切り替えるモードと、検出結果によらず一定の表示を行わせるモードとをユーザが設定可能な態様であっても構わない。
【００４９】
また、上記実施形態においては、電極１０のうち表面側電極１０ａが側面Ｆａ〜Ｆｄのうち他の部分と面一状態になっている構成を例に挙げて説明したが、これに限られることは無い。例えば表面側電極１０ａが側面Ｆａ〜Ｆｄの他の部分よりも筐体ＦＬの内部側に配置されている構成（表面側電極１０ａが凹んだ位置に配置されている構成）であっても構わないし、表面側電極１０ａが側面Ｆａ〜Ｆｄの他の部分よりも筐体ＦＬの外部側に配置されている構成（表面側電極１０ａが突出した位置に配置されている構成）であっても構わない。
【００５０】
また、上記実施形態においては、筐体ＦＬが矩形に形成された板状の構成を例に挙げて説明したが、これに限られることは無い。例えば、筐体ＦＬが円形や三角形、多角形など、他の形状に形成された板状の構成であっても構わない。また、筐体ＦＬが球状や多角柱状、円筒状など、板状に限らず他の形状に形成された構成であっても構わない。
【符号の説明】
【００５１】
ＥＱＰ…携帯情報端末  ＦＬ…筐体  ＤＰ…表示部  ＳＤ…操作部  ＣＯＮＴ…制御装置  ＥＬ…有機  ＰＮ…表示パネル  ＴＰ…タッチパネル  Ｆｅ…表示面  Ｆａ〜Ｆｄ…側面  ＳＤ１〜ＳＤ４…側部検出部  １０…電極  １０ａ…表面側電極  １０ｂ…内部側電極  １０ｃ…誘電体  ２０…検出領域  ３１〜４０、４１〜５０…表示領域  ５１…制御部  ５２…入力部  ５２ｂ…表示部検出部  ５２ｃ…姿勢検出部  ５３…出力部  ５３ｂ…音声出力部
【図１】
2012145867.tif 000003
【図２】
2012145867.tif 000004
【図３】
2012145867.tif 000005
【図４】
2012145867.tif 000006
【図５】
2012145867.tif 000007
【図６】
2012145867.tif 000008
【図７】
2012145867.tif 000009